(57)【要約】【課題】基板ケース内に存在する制御基板の裏面に行われた不正行為を容易に見付けることができる構造の遊技機を提供すること。【解決手段】筐体１の背板７に対接させ固着手段６４により取り付けた台座部材３９に対し、制御基板２１を透明のケース体４６、４７内に収容してなる制御基板装置１７を、前記固着手段を覆う形で着脱可能に搭載し、結合処理により前記ケース体を取り外し不能とするとともに結合後の結合解除処理により痕跡を残した状態で前記ケース体を取り外し可能とする封止手段４１、４９を設けた遊技機において、前記台座部材３９を透明部材により構成し、前記筐体の背板７には、前記台座部材の取り付けられている面領域内に、前記台座部材３９を透過して、前記ケース体４６、４７内に位置する前記制御基板２１の裏面を外部から視認できる窓部８６を設ける。【選択図】図８
2010201107.tif 000002
【特許請求の範囲】
【請求項１】
遊技に関する制御を司る制御基板を透明のケース体内に収容してなる制御基板装置と、前記制御基板装置を着脱可能に搭載する台座部材とを備え、前記台座部材を遊技機の筐体の背板に前記筐体の内側から対接させて固着手段により取り付け、前記固着手段を覆う形で前記制御基板装置を前記台座部材に搭載し、前記ケース体と前記台座部材とには、結合処理により前記ケース体を取り外し不能とするとともに結合後の結合解除処理により痕跡を残した状態で前記ケース体を取り外し可能とする封止手段を設けた遊技機において、
前記台座部材を透明部材により構成し、
前記筐体の背板には、前記台座部材の取り付けられている面領域内に、前記台座部材および前記ケース体を透過して、前記ケース体内に位置する前記制御基板の裏面を外部から視認できる窓部を設けた、ことを特徴とする遊技機。
【請求項２】
遊技機の前面側から見て、前記窓部は、前記ケース体内に位置する前記制御基板よりも大きくかつ前記台座部材よりも小さく形成され、前記窓部内に前記制御基板が位置しかつ前記窓部を覆って前記台座部材が位置する、ことを特徴とする請求項１記載の遊技機。
【請求項３】
前記窓部は前記背板に設けた開口からなり、該開口を前記背板の裏面側から覆う透明な防護板を備えている、ことを特徴とする請求項１または２に記載の遊技機。
【請求項４】
前記防護板は、前記開口に外部から差し込まれ、先端の抜け防止爪により前記開口の内面に係止される取付アームを有する、ことを特徴とする請求項３記載の遊技機。
【請求項５】
前記窓部は前記筐体の背板に設けた開口からなり、前記台座部材は、前記開口に前記筐体の内側から差し込まれるガイド壁を有する、ことを特徴とする請求項１〜４のいずれかに記載の遊技機。
【請求項６】
前記台座部材の前記開口に差し込まれるガイド壁は、前記開口から前記台座部材が離脱するのを防止する抜け防止爪を有する、ことを特徴とする請求項５記載の遊技機。
【請求項７】
前記窓部は前記筐体の背板に設けた開口からなり、該開口を閉塞する透明な閉塞部材を備えている、ことを特徴とする請求項１〜６のいずれかに記載の遊技機。
【発明の詳細な説明】
【技術分野】
【０００１】
本発明は、回胴式遊技機や弾球遊技機等の遊技機に関するものである。
【背景技術】
【０００２】
スロットマシン等の回胴式遊技機では、遊技に関する各種制御を実施するための制御基板装置が設けられており、この制御基板装置により、遊技回の都度変動表示される図柄の制御や大当たり抽選等が行われる。制御基板装置を構成する制御基板上には、各種処理を実行するマイクロコンピュータや遊技内容に関する制御情報が記憶されたメモリ（ＲＯＭ）等が実装され、この制御基板が基板ケース内に収容されることで制御基板装置が構成される。この制御基板装置は、遊技機本体としての筐体の背板に対面させるようにして筐体内に配設される。
【０００３】
この種の遊技機においては、不正な利益を得ることを目的として、制御基板装置を不正に取り外して当該装置内のＲＯＭを交換し遊技内容を変更したり、ジャンパー線等により外部から不正な電気信号を制御基板に入力させたりする等、制御基板装置に対しての不正行為が数多く報告されている。そこで従来より、基板ケースを透明なケース体にて構成して制御基板の表面を基板ケースの外から容易に視認できるようにする方法や、基板ケースにカシメピンによる封印構造を持たせて基板ケースの開封時には破壊等による開封履歴を残すようにする方法や、封印用シールを用いて基板ケースの開封時や基板ケースのケース取付台からの取り外し時には剥離による開封履歴を残すようにする方法、などの不正対策が採用されている（例えば特許文献１参照）。
【０００４】
上記の不正対策は、遊技機の前扉を開けて正面側から不正行為が行われることを前提としている。
【先行技術文献】
【特許文献】
【０００５】
【特許文献１】特開２００３−１８０９１７号公報
【発明の概要】
【発明が解決しようとする課題】
【０００６】
しかしながら、上記の不正対策は、前扉を開けて行われる遊技機の正面側からの不正行為を前提としているため、制御基板の裏面側に行われる不正行為に対しては効力を発揮することができなかった。すなわち、一旦基板ケースを取り付けてしまうと、基板ケースを開くことも筐体から外すこともできなくなるため、基板ケース内において制御基板の裏面側に不正行為が行われていても、その痕跡を見付けることができなかった。
【０００７】
そこで、本発明の目的は、上記課題を解決し、基板ケース内に存在する制御基板の裏面に行われた不正行為を容易に見付けることができる構造の遊技機を提供することにある。
【課題を解決するための手段】
【０００８】
本発明の上記目的は、下記の手段によって達成される。
（１）遊技に関する制御を司る制御基板（２１）を透明のケース体（４６、４７）内に収容してなる制御基板装置（１７）と、前記制御基板装置を着脱可能に搭載する台座部材（３９）とを備え、前記台座部材を遊技機の筐体（１）の背板（７）に前記筐体の内側から対接させて固着手段（６４）により取り付け、前記固着手段を覆う形で前記制御基板装置を前記台座部材に搭載し、前記ケース体と前記台座部材とには、結合処理により前記ケース体を取り外し不能とするとともに結合後の結合解除処理により痕跡を残した状態で前記ケース体を取り外し可能とする封止手段（４１、４９）を設けた遊技機において、
前記台座部材（３９）を透明部材により構成し、
前記筐体の背板（７）には、前記台座部材（３９）の取り付けられている面領域内に、前記台座部材および前記ケース体を透過して、前記ケース体（４６、４７）内に位置する前記制御基板（２１）の裏面を外部から視認できる窓部（８６）を設けた、ことを特徴とする遊技機。
（２）遊技機の前面側から見て、前記窓部（８６）は、前記ケース体内に位置する前記制御基板（２１）よりも大きくかつ前記台座部材（３９）よりも小さく形成され、前記窓部（８６）内に前記制御基板（２１）が位置しかつ前記窓部（８６）を覆って前記台座部材（３９）が位置する、ことを特徴とする上記（１）に記載の遊技機。
（３）前記窓部（８６）は前記背板に設けた開口（８５）からなり、該開口を前記背板の裏面側から覆う透明な防護板（８７）を備えている、ことを特徴とする上記（１）または（２）に記載の遊技機。
（４）前記防護板（８７）は、前記開口（８５）に外部から差し込まれ、先端の抜け防止爪（８９）により前記開口の内面に係止される取付アーム（８８）を有する、ことを特徴とする上記（３）に記載の遊技機。
（５）前記窓部（８６）は前記筐体の背板に設けた開口（８５）からなり、前記台座部材（３９）は、前記開口（８５）に前記筐体の内側から差し込まれるガイド壁（９１）を有する、ことを特徴とする上記（１）〜（４）のいずれかに記載の遊技機。
（６）前記台座部材（３９）の前記開に差し込まれるガイド壁（９１）は、前記開口から前記台座部材（３９）が離脱するのを防止する抜け防止爪（９２）を有する、ことを特徴とする上記（５）に記載の遊技機。
（７）前記窓部（８６）は前記筐体の背板に設けた開口（８５）からなり、該開口を閉塞する透明な閉塞部材（９４）を備えている、ことを特徴とする上記（１）乃至（６）のいずれかに記載の遊技機。
【発明の効果】
【０００９】
本発明によれば、筐体の背板に固着した台座部材に制御基板装置を搭載し、制御基板装置と台座部材を封止手段により封止してしまった後であっても、窓部から透明な台座部材を透過して、透明なケース体内に位置する制御基板の裏面を視認することができる。一旦取り付けてしまったケース体を開いたり筐体から外したりする必要はなく、単に窓部から内部を覗くだけで、制御基板裏面が正常であるか異常であるかを確認することができる。したがって、制御基板の裏面に不正行為が行われた場合、その痕跡を直ちに見付けることができる。このため、例えば、遊技機を遊技店に搬送する途中において制御基板の裏面に不正行為が行われていないことを確認することができると共に、遊技ホール内の島設備に設置する直前において、制御基板の裏面に不正行為が行われていないことを確認してから遊技機を設置することができる。
【００１０】
また本発明によれば、一方では、窓部を覆って台座部材が位置する形状寸法関係としつつ、他方では窓部内に制御基板が位置する形状寸法関係としているので、台座部材に背板への取り付け領域を確保しつつ、窓部から内部を覗いた際に開口縁で隠れて視認できない部分を生じさせることなく、主制御基板１３の裏面全域を明瞭に視認することができる。
【００１１】
また本発明では、開口を裏面側から透明な防護板で覆って窓部を構成し、あるいはさらに透明な閉塞部材で開口内を塞いでいるので、窓部側からの不正行為を有効に防止することができる。
【図面の簡単な説明】
【００１２】
【図１】本発明の第１の実施形態に係る回胴式遊技機の外観を示す斜視図である。
【図２】本発明の第１の実施形態に係る回胴式遊技機の筐体側の正面図である。
【図３】本発明の第１の実施形態に係る制御基板装置を台座部材に搭載した状態の正面図である。
【図４】本発明の第１の実施形態に係る制御基板装置を台座部材を介して背板に取り付けた状態の横断平面図である。
【図５】本発明の第１の実施形態に係る制御基板装置を台座部材に搭載する状態の斜視図である。
【図６】本発明の第１の実施形態に係る制御基板装置を台座部材に搭載する状態を底面側から見た図である。
【図７】本発明の第１の実施形態に係る封止手段の分解破断斜視図である。
【図８】本発明の第１の実施形態に係る制御基板装置と台座部材と開口との位置関係を示す図である。
【図９】本発明の第１の実施形態に係る制御基板装置と主制御基板と台座部材と開口との大小関係と位置関係の説明に供する図である。
【図１０】本発明の第２の実施形態として開口を防護板で覆う構造を示した図である。
【図１１】本発明の第２の実施形態における台座部材の取り付け状態を示した図である。
【図１２】本発明の第２の実施形態において、台座部材のガイド壁に抜け防止爪を設けた構成を示した図である。
【図１３】本発明の第２の実施形態において、開口を閉塞部材で閉塞する変形例を示した図である。
【発明を実施するための形態】
【００１３】
以下、本発明の遊技機の実施形態を、図面を参照しながら詳細に説明する。ここでは遊技媒体に遊技メダルを用いる回胴式遊技機を例にする。
【００１４】
図１は、本発明の一実施形態に係る回胴式遊技機の外観を示す斜視図であり、図２は回胴式遊技機の筐体側を示す正面図である。
【００１５】
この回胴式遊技機は、前面側が開放された矩形状の筐体１と、その筐体１の前面側を覆う矩形状の前扉２とを備えている。
【００１６】
筐体１は木製で、左側板３および右側板４の上端同士および下端同士を上板５及び底板６で連結し、裏面側を背板７で覆うことにより、前側が開放された箱形に形成されている。なお、各板３〜７は木製のパネルによって構成する以外に、合成樹脂製パネル又は金属製パネルによって構成してもよいし、合成樹脂材料又は金属材料によって一体の箱状に形成することによって構成してもよい。上記のように構成された筐体１は、遊技ホールへの設置の際にいわゆる島設備に対し釘を打ち付ける等して取り付けられる。
【００１７】
筐体１内には、図２に示すように、この筐体１の高さ方向のほぼ中央より少し下側（下方から略三分の一程度）の部位において、左右の側板３、４の間に、水平方向に金属製の中間棚８が渡してあり、この中間棚８上に、横並びに３個の回胴９を並置した構造の回胴装置ユニット１０が、着脱可能に取り付けてある。
【００１８】
各回胴９は、その外周に複数種類の図柄が表示された図柄配列帯を有しており、各回胴９の停止時の上記図柄の組み合せによって遊技結果を表示する。この各回胴９は、それぞれ図示してないパルスモータにより回転駆動され、上記図柄が変動表示可能となっている。
【００１９】
また筐体１の底板６には、投入された遊技メダルを貯留すると共に、メダル受け皿３５（図１参照）に遊技メダルを払い出し可能な遊技メダル払出装置１１とが取り付けられている。この遊技メダル払出装置１１は、払い出し用の遊技メダルを貯留するメダルホッパー１２、このメダルホッパー１２内の遊技メダルを払い出す遊技メダル払出装置本体１３、メダルホッパー１２から溢れたメダルを遊技メダル補助収納庫１４側に排出する余剰遊技メダル排出口１５等を備え、底板６上に着脱自在に装着されている。
【００２０】
さらに筐体１内には、電源基板が格納された電源基板ケース１６、遊技に関する制御を司る主制御基板２１を主制御基板ケース３８内に収容してなる制御基板装置１７、出玉率に変化をもたらす回胴設定基板（操作基板）１８、遊技メダル払出装置１１を駆動制御するメダル払出制御基板（図示はしていない）等が配設されている。
【００２１】
遊技メダル補助格納庫１４は右側板４に近接して底板６上に装着され、電源基板ケース１６は遊技メダル補助格納庫１４と反対側で左側板３の下部側に装着されている。また主制御基板ケース３８は、筐体１の背板７の前面側において回胴装置ユニット１０の上方に固定された台座部材３９（図３参照）に、左右方向の一端側に配置された係合手段４０と、他端側に配置された第１封止手段４１とを介して前面側（横方向）から着脱自在に固定され、また一端側を係合手段４０を介して台座部材３９に係合しただけ等の非封止状態で仮止め手段４２により仮止め可能になっている。また回胴設定基板１８は、背板７の前面側で且つ回胴装置ユニット１０の上側において左側板３の近傍に配置されている。
【００２２】
前扉２は合成樹脂製であり、その左右の側縁の一側（ここでは左側縁）が筐体１の左右の側縁の一側（ここでは左側縁）に、ヒンジ（図示せず）を介して枢着され、筐体１の前側開口を開閉可能に覆っている。
【００２３】
図１に示すように、前扉２には、第１の表示窓（回胴視認部）１９と第２の表示窓（液晶画面視認部）２０を上下に設けてある。
【００２４】
下側の第１の表示窓１９は回胴視認部であり、遊技機のほぼ中央部に設けてあり、上記した回胴装置ユニット１０の３個の回胴９を、この回胴視認部１９に臨ませて、遊技者側から視認し得るようになっている。
【００２５】
図面には示してないが、回胴視認部１９には、ここを横および斜めに横断する形で計５本の入賞ラインが施されている。これらの入賞ラインは、単位遊技（１ゲーム）に対する遊技メダルの投入枚数（賭け数）に応じてそれぞれ有効になる。この有効となった入賞ライン上で、３つの回胴９が停止した際の停止図柄の組み合わせが、当選した入賞役と一致した場合に入賞が確定し、上記停止図柄の組み合わせに応じた遊技価値が遊技者に付与される。
【００２６】
また、第２の表示窓２０は液晶画面視認部であり、遊技機の中央より上側に設けてある。この液晶画面視認部２０は、前扉２の裏側に装着された液晶表示装置２２（ＬＣＤユニット２２）の表示画面２３に対応して、例えば回胴視認部１９よりも少し小さい矩形状に形成されている。遊技者はこの液晶画面視認部２０を介して液晶表示装置２２の表示画面２３を前側から視認可能となっている。この液晶表示装置２２の表示画面２３には、遊技に伴う演出が画像表示されると共に、過去の遊技の履歴、クレジット数、遊技メダルの投入枚数、入賞による払い出し枚数等の遊技情報も表示される。
【００２７】
回胴視認部１９の左右側には、ＬＥＤを内蔵し、光の装飾により遊技に伴う演出を現出する装飾ランプ部２４が設けられている。
【００２８】
また液晶画面視認部２０の下方の段部には、遊技に供する遊技媒体としての遊技メダルを投入するためのメダル投入口２５と、貯留装置（遊技機に投入された遊技メダル、または入賞によって獲得した遊技メダルを貯留して、その貯留数を電磁的方法よって記憶可能とする機能を備えた装置）に貯留された範囲、すなわちクレジットされた範囲内で、遊技メダルを最大枚数賭けで一度に擬似投入し得るＭＡＸＢＥＴボタン２７と、押した回数に応じて最大賭け枚数まで加算的に擬似投入し得る貯留メダル投入ボタン２８と、クレジットされた遊技メダルの精算を行う貯留メダル精算ボタン２９とが設けられている。
【００２９】
さらにまた、回胴視認部１９の下側に横長状に設けられた操作パネル部３０には、メダル投入口２５内に詰まったメダルを返却させるための返却ボタン２６、回胴９の回転を一斉に開始させるための回胴回転始動レバー３１、および各回胴９の回転を個別に停止させるための３個の回胴回転停止ボタン３２等が設けられている。また操作パネル部３０の右側には、鍵穴３３が設けられている。この鍵穴３３は前扉２を解錠するためのものであり、この穴に所定の鍵を差し込んで回すと、前扉２の錠装置における施錠機構のロックが解除される。
【００３０】
また操作パネル部３０の下方には、遊技機をアピールするための装飾が施された装飾パネル部３４が設けられている。
【００３１】
装飾パネル部３４の下方には、前扉２と一体的に装着された横長状のメダル受け皿３５が設けられ、このメダル受け皿３５には、上記遊技メダル払出装置１１から払い出された遊技メダルや返却された遊技メダルを前側に排出するための遊技メダル払出口３６が開口している。
【００３２】
また、前扉２の前面上部両側および前面下部両側には、遊技に伴う演出効果音を外部に出力する音響出力部としてのスピーカ３７が設けられている。
【００３３】
主制御基板２１は、回胴回転始動レバー３１、回胴回転停止ボタン３２等の操作に応じて回胴９の回転、停止その他の遊技動作を制御するためのものである。この主制御基板２１は図３に示すように横長矩形状であって、その前面側の中央部分には図４に示すようにＲＯＭその他の電子部品４４が装着され、また図３、図４に示すように左右両端側には外部のハーネスを接続するための複数個のコネクタ４５が端縁に沿って一列状、Ｌ字状等に装着されている。
【００３４】
この主制御基板２１を、開閉可能な透明の一対のケース体４６、４７からなる主制御基板ケース３８内に収容して制御基板装置１７が構成されている（図４参照）。この主制御基板ケース３８および台座部材３９は、共に横長矩形状に形成されている。
【００３５】
主制御基板ケース３８は、図３〜図５に示すように、主制御基板２１を表裏両側から挟む上記一対のケース体としての第１ケース体４６及び第２ケース体４７と、左右方向の他端側で第１、第２ケース体４６、４７を係脱、開閉自在に結合するヒンジ手段４８と、左右方向の一端側で第１、第２ケース体４６、４７を結合して封止し且つ開封時に開封痕の残る複数個（例えば４個）の第２封止手段４９とを備えている。
【００３６】
第１ケース体４６は平板状であって、図４に示すように、外周側に受け縁５０を残して起立壁５１が周方向の全周に形成されており、その起立壁５１内に、その裏側を第１ケース体４６に向けた状態で主制御基板２１が配置されている。第２ケース体４７は第１ケース体４６側が開放する蓋状であって、外周側の周壁５２とその周壁５２に一体の背壁５３とを有し、その背壁５３には主制御基板２１の電子部品４４に対応する中央部分に膨出部５４が、その左右両端側に凹部５５が夫々形成され、第１ケース体４６の起立壁５１の外側に嵌合して、その周壁５２の開口端縁が第１ケース体４６の受け縁５０に当接している。
【００３７】
膨出部５４は放熱孔５６を有し、主制御基板２１の電子部品４４を覆うようになっている。凹部５５の底部５５ａは主制御基板２１の表面に当接し、その底部５５ａには各コネクタ４５が突出するコネクタ孔５８が形成されている。なお、主制御基板２１は第１ケース体４６、第２ケース体４７により挟持され、主制御基板ケース３８内に位置決め突起等により固定されている。
【００３８】
ヒンジ手段４８は、図４〜図５に示すように、第２ケース体４７の前端側に一体に形成された上下一対のヒンジピン５９と、第１ケース体４６に一体に形成され且つヒンジピン５９に係脱、回動自在に係合する上下一対の係合片６０とを備えている。係合片６０は第１ケース体４６側の先端に設けられており、第２ケース体４７の周壁５２とヒンジピン５９との間からヒンジピン５９に対して係脱自在であり、その係合状態でヒンジピン５９を後側から抱き込むように、後側に突出するＵ字状その他の円弧状に湾曲形成されている。
【００３９】
台座部材３９は、その外周に、図３〜図５に示すように、前側から着脱自在に嵌合する主制御基板ケース３８を外周から囲繞する囲繞壁６３が形成され、その囲繞壁６３の内側に配置された複数個（例えば上下、左右の４個）のネジ等の固定具（固着手段）６４により筐体１の背板７に固定されている。囲繞壁６３は係合手段４０側の一辺が凸状等の幅の広い広幅壁６５により構成され、他の３辺が板状壁に構成されている。囲繞壁６３の高さは、主制御基板ケース３８を取り付けた状態で第２ケース体４７の背壁５３と略一致する程度である。
【００４０】
仮止め手段４２は第１封止手段４１による非封止状態で主制御基板ケース３８を台座部材３９に仮止めするためのもので、図５に示すように、囲繞壁６３の下辺側で第１封止手段４１の下側近傍位置に設けられた仮止め爪６６を備え、この仮止め爪６６が第２ケース体４７の下端側に下側から係脱自在に係合するようになっている。仮止め爪６６はその左右両側のスリット６７を介して囲繞壁６３と区画されると共に、基部側が囲繞壁６３に一体に接続しており、主制御基板ケース３８に対して係脱すべく上下方向に弾性変形可能である。
【００４１】
台座部材３９の囲繞壁６３の下側には、図６に示すように、ケース受け部兼用のシール貼付部６８が囲繞壁６３よりも前側に突出して形成されている。台座部材３９のシール貼付部６８は、係合手段４０で仮止め状態の主制御基板ケース３８を受けると共に、これから第２ケース体４７に跨がって封印シールを貼付するようになっている。したがって、制御基板装置１７から台座部材３９にかけて封印シール（図示せず）を設けている。シール貼付部６８とケース受け部は別々に設けてもよい。
【００４２】
シール貼付部６８は第１封止手段４１よりも係合手段４０側の左右方向の略中央部又は略中央よりも若干仮止め爪６６側寄りの位置に配置され、その上面側の受け面は囲繞壁６３の内面と略面一状になっている。主制御基板ケース３８には、その第２ケース体４７の周壁５２の下側部分に、シール貼付部６８に対応して略水平状に当接面６９が形成されている。
【００４３】
係合手段４０は主制御基板ケース３８を台座部材３９の広幅壁６５側に係脱自在に係合するためのもので、図３、図４に示すように、台座部材３９の広幅壁６５に形成された上下一対の係合凹部７０と、主制御基板ケース３８の第２ケース体４７の側壁から左右方向の外側に突出して形成され且つ係合凹部７０に内側から係脱自在に係合する係合突部７１とを備えている。
【００４４】
なお、第２ケース体４７の周壁５２は、台座部材３９の広幅壁６５側にてネジ等の固定具６２（図３参照）で着脱自在に固定され、台座部材３９に取り付けた状態での主制御基板ケース３８のガタツキを防止している。
【００４５】
図３、図５に示すように、主制御基板ケース３８を台座部材３９に結合し封止する第１封止手段４１は、主制御基板ケース３８のヒンジ手段４８側に、また主制御基板ケース３８の両ケース体４６、４７を結合し封止する第２封止手段４９は、係合手段４０側に夫々上下方向に複数個ずつ一列状に配置され、共に略同一の構成となっている。なお、第１封止手段４１および第２封止手段４９はそれぞれ４個あり、最大４回までの開封、封止が可能である。
【００４６】
各第１封止手段４１、第２封止手段４９は、図７に示すように、第２ケース体４７の背壁５３と、第２ケース体４７の背壁５３側の封止板７２と、台座部材１９又は第１ケース体４６側の離脱防止板７３とに跨がって設けられている。第１封止手段４１の離脱防止板７３は、台座部材３９から前側に凸状に突出して設けられ、第２封止手段４９の離脱防止板７３は、第１ケース体４６の起立壁５１から内側に突出して設けられている。封止板７２は４個の封止手段４１、４９を取り囲む平面視略コ字状であって、第２ケース体４７の背壁５３の後側（内側）に固着されている。第１封止手段４１は主制御基板ケース３８を台座部材３９に結合し封止し、また第２封止手段４９は第１ケース体４６と第２ケース体４７を互いに結合し封止する。
【００４７】
第１封止手段４１、第２封止手段４９は特許第３０３３９５７号公報に記載の封止手段と略同様の構成であって、離脱防止板７３に形成された離脱防止部７４と、封止板７２の基部からアーム状に延在する損壊部７５と、この損壊部７５の先端に形成され、封止前の封止ピン７８を保持するピン保持部７６と、ピン保持部７６に一体に形成され、離脱防止板７３に前側から当接して離脱防止部７４に対応する封止部７７と、封止部７７側から離脱防止部７４へと前後方向に貫通して両者を分離不能に封止する封止ピン７８と、第２ケース体４７に開設され前側から封止ピン７８を結合方向に押圧操作するための操作用開口部７９と、第２ケース体４７の背壁５３に開設され、損壊部７５を第２ケース体４７の外側から切断する際にニッパー等の切断具の刃先を差し込むための切断用開口部８０とを備え、封止時には、操作用開口部７９内に頭部が露出してピン保持部７６内に位置する封止ピン７８を外部から押圧操作することにより、この封止ピン７８が封止部７７側から離脱防止部７４に離脱不能に係合して封止し、また開封時には、切断用開口部８０にニッパー等の切断具を差し込んで損壊部７５を切断するようになっている。
【００４８】
台座部材３９、主制御基板ケース３８の構成部材は、主制御基板２１、固定具６４、第１封止手段４１、第２封止手段４９の封止ピン７８等を除いて、内部を極力視認できるように透明な合成樹脂材料により構成されている。
【００４９】
上記構成において、主制御基板２１を主制御基板ケース３８に収納する場合には、両ケース体４６、４７間に主制御基板２１を挟み、ヒンジ手段４８の係合片６０、ヒンジピン５９を介して係合状態の両ケース体４６、４７を閉じ、４個の第２封止手段４９のうち、例えば上端側の第２封止手段４９により両ケース体４６、４７を結合し封止する。これによって主制御基板ケース３８は、封止状態の第２封止手段４９の損壊部７５を切断しない限り取り外し不能になる。
【００５０】
第２封止手段４９による主制御基板ケース３８の封止に当たっては、封止ピン７８がピン保持部７６内にあるので、先ず第２ケース体４７の操作用開口部７９にドライバー等の工具をセットし、その先端で封止ピン７８を押圧する。すると封止ピン７８の係合鍔部８１が弾性変形によりピン保持部７６の係合凸部８２を通過すると共に、その係合頭部８３が弾性係合部８２を両側に押し広げて通過し弾性係合部８４に係合する。
【００５１】
これによって封止ピン７８の係合鍔部８１が封止部７７に当接し、封止ピン７８がその係合鍔部８１と係合頭部８３との間で封止部７７と離脱防止部７４とを両側から離脱不能に挟むため、第２封止手段４９により両ケース体４６、４７を結合し封止することができる。
【００５２】
組み立て工程等で主制御基板ケース３８を台座部材３９に取り付ける場合には、主制御基板ケース３８の係合手段４０側を台座部材３９の囲繞壁６３に合わせて、その係合突部７１を台座部材３９の係合凹部７０に挿入した後、係合手段４０側を支点として主制御基板ケース３８を台座部材３９側へと押圧する。
【００５３】
すると主制御基板ケース３８が仮止め手段４２の仮止め爪６６の案内面を通過するときに、仮止め爪６６が下側へと弾性変形して囲繞壁６３内に嵌合すると共に、その嵌合状態で仮止め爪６６が主制御基板ケース３８に係合するため、仮止め手段４２により主制御基板ケース３８を台座部材３９に仮止めすることができる。
【００５４】
また主制御基板ケース３８は囲繞壁６３に嵌合する前、又は仮止め手段４２による仮止めを解除した状態では、係合手段４０が係合状態になってはいるものの、図６に示すように台座部材３９に対して斜めになっている。しかし、囲繞壁６３の下辺側にはシール貼付部６８があり、このシール貼付部６８により主制御基板ケース３８を下側から受けているため、係合手段４０が外れて主制御基板ケース３８が脱落する等の虞もない。従って、組み立てその他での主制御基板ケース３８の取り扱いを容易に行うことができる。
【００５５】
上記の如く台座部材３９を介して背板７に取り付けられた制御基板装置１７内の主制御基板２１を外部から視認可能とするため、遊技機の筐体１の背板７には、図８に示すように、開口８５が横長矩形状の主制御基板２１より一回り大きい横長矩形状に設けられ、窓部８６を構成している。そして、この窓部８６の開口８５を覆って、上記台座部材３９が筐体１の前面側から背板７に対接され、開口８５の周囲に沿った複数箇所で、ネジ等の固着手段６４により背板７に固着されている。
【００５６】
台座部材３９と主制御基板ケース３８は透明部材からなるため、遊技機の背後から、背板７の窓部８６、台座部材３９および主制御基板ケース３８を透過して、制御基板装置１７内に位置する主制御基板２１の裏面を視認することができる。したがって、遊技機の裏面側から密かに主制御基板２１に細工をする不正行為、たとえばＲＯＭを交換する、ぶら下がり（ハーネスやセレクタに不正部品をぶらりと垂れ下げて取り付けるので「ぶら下がり」と呼ばれる）等が為されていても、遊技機の背後から、背板７の窓部８６を通して主制御基板ケース３８内に位置する主制御基板２１の裏面を観察することにより、容易にＲＯＭの交換やぶら下がり等の不正行為の有無を確認することができる。たとえばＲＯＭが不正に交換されたことは、主制御基板２１の裏面のプリント配線パターン上の半田がＲＯＭ交換の際に溶解した跡から知ることができ、ぶら下がりは不自然な異物が視認されることから、その存在を知ることができる。
【００５７】
図９に、背板７の開口８５と、台座部材３９と、制御基板装置１７との相対的な位置関係と大きさの大小関係を示す。これらの開口８５、主制御基板ケース３８および台座部材３９はそれぞれ横長矩形状に形成され、それらの中央が同一軸線上に位置して整列している。また遊技機の前面側から見て、筐体１の背板７に窓部８６として設けた横長矩形状の開口８５は、主制御基板ケース３８内に位置する主制御基板２１とほぼ同じか一回り大きい、すなわち図９にΔＬとして示す量だけ主制御基板２１の外側に大きい面積規模で形成されている。このため、窓部８６の開口８５内には主制御基板２１がその裏面全域が見える状態で位置することになる。さらにまた遊技機の前面側から見て、開口８５は、横長矩形状の台座部材３９よりも面積規模が小さく形成されている。このため台座部材３９は全体として開口８５を覆う状態で位置し得ると共に、その台座部材３９内の周辺部には開口８５の周辺部と重なる取付領域が残ることになり、この取付領域においてネジからなる固定具６４により筐体１の背板７に固定される。
【００５８】
このような形状寸法関係に開口８５、主制御基板ケース３８および台座部材３９を定めることで、背板７に隠れた部分を残さずに、明瞭に主制御基板２１の裏面全域を視認することができる。この結果、遊技機を搬送中において或いは島設備に遊技機を設置する前において、前扉２を開いて筐体１内の制御基板装置１７を台座部材３９から取り外す必要なしに、背板７の窓部８６から内部を目視するだけで、不正行為の有無を判断することができる。前扉２を開ける必要がないため、不正行為の有無の判断は容易である。
【００５９】
上記実施形態では、背板７に設けた開口８５のみにより窓部８６を構成したが、遊技機裏面から開口８５を通して主制御基板２１の裏面に行う不正行為を有効に防止するため、窓部８６は透明な防護部材により上記開口８５を塞いだ構成とすることが望ましい。
【００６０】
図１０は本発明の第２の実施形態として、この例を示したものであり、開口８５を、これより面積の大きい合成樹脂製の透明な防護板８７により、背板７の裏面側から塞ぐことにより窓部８６を構成している。この防護板８７は、その左右両端近傍であって上下方向の中央付近から、前面側に向けて延在させた取付アーム８８を有しており、その先端部には、左右方向に互いに外向きの抜け防止爪８９を備えている。また、開口８５の内壁面には、図８に示すように、左右両辺の上下方向中央付近に、肉厚のほぼ半分程度までの長さに亘って内側から凹所８６ａが形成されており、この凹所８６ａにより、上記取付アーム８８の抜け防止爪８９が係止する段差部９０が形成されている。
【００６１】
防護板８７を開口８５に取り付けるに際し、その取付アーム８８を開口８５内に差し込むと、取付アーム８８は互いに内側に近づく方向に少し弾性的に撓んで、開口８５内（背板７の肉厚内）を前側に進み、上記凹所８６ａの段差部９０に抜け防止爪８９が入り込む。これにより防護板８７が離脱不能に開口８５に取り付けられる。このとき防護板８７の周縁部は背板７の裏面に密に当接する。
【００６２】
このように開口８５を防護板８７で塞いだ構造の窓部８６とすると、仮に背板７の背面側から不正行為をしようとしても、まず防護板８７を除去しなければ、開口８５を通して主制御基板２１の裏面に達することができなくなる。そこで、防護板８７を除去する分だけ主制御基板２１に到達するのに余計に時間がかかることになり、窓部８６を開口８５のみで構成した場合に比べ、遊技機の背面側から開口８５を通して主制御基板２１の裏面に行う不正行為を、より効果的に防止することができる。
【００６３】
また台座部材３９の裏面には、図１１に示すように、台座部材３９を開口８５に対して正しく位置決めするためのガイド壁９１が設けられている。この位置決め用のガイド壁９１は上記の取付アーム８８とは上下方向にずれた位置、すなわち上記凹所８６ａよりも上側と下側の位置（開口８５の四隅付近）に対応して設けられている。台座部材３９は、取り付ける際に、このガイド壁９１を開口８５に筐体１の内側から差し込むことにより、開口８５の内壁に沿ってガイド壁９１が移動することで正しい取り付け位置に案内される。したがって台座部材３９の取り付け作業が容易になる。
【００６４】
また、この開口８５に差し込まれるガイド壁９１には、図１２に示すように抜け防止爪９２が設けられている。開口８５には上記四隅付近において開口８５の内壁面に裏面側から設けた凹所により段差部９３が形成されており、開口８５にガイド壁９１を差し込んだ際、この段差部９３に抜け防止爪９２が係合して、台座部材３９が離脱するのを防止する構造となっている。
【００６５】
図１３は、さらに背板７の外側の防護板８７と内側の台座部材３９との隙間において、開口８５に透明な樹脂製の閉塞部材９４、たとえばアクリル樹脂板を嵌め込んで接着剤または固定ネジなどの固着手段で固定することにより、開口８５を閉塞した構成例を示す。このように、開口８５の裏面側を防護板８７で覆うだけでなく、開口８５内もアクリル樹脂板のような閉塞部材９４で埋めた構造の窓部８６とすると、窓部８６から主制御基板２１に到達しようとしても防護板８７と閉塞部材９４の二つを破く必要があり、これに時間がかかるため、筐体１の裏面側から窓部８６を通して行われる不正行為を、防護板８７のみの場合よりも更に効果的に防止することができる。
【００６６】
この閉塞部材９４としてはアクリル樹脂板のような個体のほか、開口８５を透明な熱可塑性樹脂材料で充填し、その後固化させたものも、開口８５内を閉塞する透明な閉塞部材９４として用いることができる。
【００６７】
上記実施形態では、回胴式遊技機について説明しているが、本発明はこれに限定されるものではなく、パチンコ機などの弾球遊技機にも適用することができ、また回胴式遊技機、弾球遊技機以外の遊技機においても同様に適用することができる。
【００６８】
上記実施形態では、窓部８６内に主制御基板２１が位置しかつ窓部８６を覆って台座部材３９が位置する関係（図９）とすることにより、背板７に隠れた部分を残さずに、明瞭に主制御基板２１の裏面全域を視認することができるように構成した。これは主制御基板１３の裏面全域を明瞭に視認することができるようにするためである。しかし本発明は必ずしもこのように構成する必要はなく、主制御基板２１の裏面のうち不正行為の対象となり易い部位が視認できるように、背板７の開口８５の位置と大きさを任意に定めることができる。
【００６９】
たとえば、主制御基板２１には、上記の電子部品４４として、ＲＯＭ、ＲＡＭ、ＣＰＵを内蔵するワンチップマイコン、他の制御装置や各種スイッチへの電気的信号を接続するコネクタ、その他の電気部品が設けられている。これらのうちで、特に不正行為の対象となり易い部位はワンチップマイコンの部分である。そこで、少なくともこのワンチップマイコンが見える位置と大きさに背板７の開口８５を形成する構成としてもよい。もちろん、ワンチップマイコンの他に、不正行為の対象となり易い部位があれば、コネクタや、その他の電気部品の部分であっても、それらが見える位置と大きさに背板７の開口２１を形成することもできる。このような構成の下でも、主制御基板２１の裏面側へ行われた不正行為の早期発見という所定の効果を得ることができる。
【産業上の利用可能性】
【００７０】
本発明は、遊技に関する制御を司る主制御基板をケース体内に収容してなる制御基板装置１７を背板に取り付けた構造の回胴式遊技機や弾球遊技機などに適用することができる。
【符号の説明】
【００７１】
１      筐体、
２      前扉、
７      背板、
１０      回胴装置ユニット、
１７      制御基板装置、
２１      主制御基板、
３８      主制御基板ケース、
３９      台座部材、
４０      係合手段、
４１      第１封止手段、
４４      電子部品、
４５      コネクタ、
４６      第１ケース体、
４７      第２ケース体、
４８      ヒンジ手段、
４９      第２封止手段、
５９      ヒンジピン、
６４      固定具（固着手段）、
６８      シール貼付部、
７５      損壊部、
７８      封止ピン、
８５      開口、
８６      窓部、
８７      防護板、
８８      取付アーム、
８９      抜け防止爪、
９０      段差部、
９１      ガイド壁、
９２      抜け防止爪、
９３      段差部、
９４      閉塞部材。
【図１】
2010201107.tif 000003
【図２】
2010201107.tif 000004
【図３】
2010201107.tif 000005
【図４】
2010201107.tif 000006
【図５】
2010201107.tif 000007
【図６】
2010201107.tif 000008
【図７】
2010201107.tif 000009
【図８】
2010201107.tif 000010
【図９】
2010201107.tif 000011
【図１０】
2010201107.tif 000012
【図１１】
2010201107.tif 000013
【図１２】
2010201107.tif 000014
【図１３】
2010201107.tif 000015